(57)【要約】【課題】室内ファンへの塵埃の付着を低減し、室内ファンの風量を維持する。【解決手段】本発明の空気調和機は、室内の空気との熱交換を行う熱交換器３３、熱交換した室内の空気を吹き出す室内ファン３１１、室内の空気の塵埃を除去するエアフィルタ２３１，２３１’、及びエアフィルタ２３１，２３１’を清掃するエアフィルタ清掃装置１７を有する室内ユニット２と、室内ユニット２を操作するリモコン５とを備えた空気調和機１であって、エアフィルタ清掃装置１７を動作させる第１清掃動作制御手段１１を備え、第１清掃動作制御手段１１は、室内ファン３１１の積算運転時間によりエアフィルタ清掃装置１７を自動的に動作させる自動清掃モードと、リモコン５の操作により任意のタイミングでエアフィルタ清掃装置１７を動作させる手動清掃モードとを有し、エアフィルタ清掃装置１７を動作させる前に所定の時間が経過する迄室内ファン３１１による送風運転を行う。【選択図】図５
2012112545.tif 000002
【特許請求の範囲】
【請求項１】
室内の空気との熱交換を行う熱交換器、前記熱交換した室内の空気を吹き出す室内ファン、前記室内の空気の塵埃を除去するエアフィルタ、および前記エアフィルタを清掃するエアフィルタ清掃装置を有する室内ユニットと、前記室内ユニットを操作するリモコンとを備え、冷房、除湿、暖房、送風のうちの何れかの空気調和の運転を行う空気調和機であって、
前記エアフィルタ清掃装置を動作させる第１清掃動作制御手段を備え、
前記第１清掃動作制御手段は、前記室内ファンの積算運転時間により前記エアフィルタ清掃装置を自動的に動作させる自動清掃モードと、前記リモコンの操作により任意のタイミングで前記エアフィルタ清掃装置を動作させる手動清掃モードとを有し、前記エアフィルタ清掃装置を動作させる前に所定の時間が経過するまで前記室内ファンによる送風運転を行う
ことを特徴とする空気調和機。
【請求項２】
前記第１清掃動作制御手段は、前回の前記空気調和の運転の運転モードに応じて前記送風運転の実行有無を判定し、前回の運転が冷房運転または除湿運転の場合に前記送風運転を実行する
ことを特徴とする請求項１記載の空気調和機。
【請求項３】
前記第１清掃動作制御手段は、前記送風運転の時間を前記前回の冷房運転または除湿運転の運転時間から決定する
ことを特徴とする請求項２記載の空気調和機。
【請求項４】
前記第１清掃動作制御手段は、前記送風運転時の前記室内ファンの回転速度を前記前回の冷房運転または除湿運転の運転時間から決定する
ことを特徴とする請求項２または請求項３記載の空気調和機。
【請求項５】
室内の空気との熱交換を行う熱交換器、前記熱交換した室内の空気を吹き出す室内ファン、前記室内の空気の塵埃を除去するエアフィルタ、および前記エアフィルタを清掃するエアフィルタ清掃装置を有する室内ユニットと、前記室内ユニットを操作するリモコンとを備え、冷房、除湿、暖房、送風のうちの何れかの空気調和の運転を行う空気調和機であって、
前記エアフィルタ清掃装置を動作させる第２清掃動作制御手段を備え、
前記第２清掃動作制御手段は、前記室内ファンの積算運転時間により前記エアフィルタ清掃装置を自動的に動作させる自動清掃モードと、前記リモコンの操作により任意のタイミングで前記エアフィルタ清掃装置を動作させる手動清掃モードとを有し、前記空気調和の運転を停止してから所定の時間が経過した後の前記空気調和の運転時に前記自動清掃モードを実行する
ことを特徴とする空気調和機。
【請求項６】
前記第２清掃動作制御手段は、前記自動清掃モードを前記空気調和の運転を停止してから所定の時間が経過した後の前記空気調和の運転の開始時に実行する
ことを特徴とする請求項５記載の空気調和機。
【請求項７】
室内の空気との熱交換を行う熱交換器、前記熱交換した室内の空気を吹き出す室内ファン、前記室内の空気の塵埃を除去するエアフィルタ、および前記エアフィルタを清掃するエアフィルタ清掃装置を有する室内ユニットと、前記室内ユニットを操作するリモコンとを備え、冷房、除湿、暖房、送風のうちの何れかの空気調和の運転を行う空気調和機であって、
前記エアフィルタ清掃装置を動作させる第３清掃動作制御手段を備え、
前記第３清掃動作制御手段は、前記室内ファンの積算運転時間により前記エアフィルタ清掃装置を自動的に動作させる自動清掃モードと、前記リモコンの操作により任意のタイミングで前記エアフィルタ清掃装置を動作させる手動清掃モードとを有し、
かつ、前記エアフィルタ清掃装置を動作させる前に所定の時間が経過するまで前記室内ファンの送風運転を行う制御と、前記空気調和の運転を停止してから所定の時間が経過した後の前記空気調和の運転時に前記自動清掃モードを実行する制御との両制御を有し、当該両制御のうちの何れかの制御がユーザによる前記リモコンの操作により選択される
ことを特徴とする空気調和機。
【請求項８】
前記第３清掃動作制御手段は、前記リモコンの操作により選択した前記制御の設定を不揮発性記憶部に記憶する
ことを特徴とする請求項７記載の空気調和機。
【請求項９】
前記第３清掃動作制御手段は、前記自動清掃モードを実行する制御を、前記空気調和の運転を停止してから所定の時間が経過した後の前記空気調和の運転の開始時に行う
ことを特徴とする請求項７または請求項８記載の空気調和機。
【発明の詳細な説明】
【技術分野】
【０００１】
本発明は、空気調和機の制御方式に関し、詳細には室内機に備えられるエアフィルタを清掃する空気調和機の制御方法に関する。
【背景技術】
【０００２】
近年、空気調和機の省電力化、またメンテナンスの省力化を目的として、エアフィルタに捕集された塵埃を集めて集塵容器に収納する清掃装置を備えた空気調和機が開発されている。空気調和機のエアフィルタを清掃する制御モードとしては、特許文献１に開示されているように、空気調和機の運転積算時間に応じてエアフィルタ清掃の要否を判断して自動的にフィルタ清掃を実行する自動清掃モードと、使用者によって任意に設定される清掃指示信号によって、運転積算時間に拘わらずフィルタ清掃を実行する手動清掃モードが知られている。
【先行技術文献】
【特許文献】
【０００３】
【特許文献１】特開２００４−１０１１０１号公報
【発明の概要】
【発明が解決しようとする課題】
【０００４】
しかしながら、従来技術ではフィルタ清掃処理実行前の室内ファンの状態よっては、フィルタ清掃処理実行後に、塵埃が室内ファンに付着してしまう場合がある。このように、室内ファンに塵埃が付着すると室内ファン風量が減少してしまい、空気調和機の性能の低下につながる怖れがある。
本発明は上記実状に鑑み、室内ファンへの塵埃の付着を極力低減し、室内ファンの風量を維持できる空気調和機の提供を目的とする。
【課題を解決するための手段】
【０００５】
上記課題を解決するために、第１の本発明の空気調和機は、室内の空気との熱交換を行う熱交換器、前記熱交換した室内の空気を吹き出す室内ファン、前記室内の空気の塵埃を除去するエアフィルタ、および前記エアフィルタを清掃するエアフィルタ清掃装置を有する室内ユニットと、前記室内ユニットを操作するリモコンとを備え、冷房、除湿、暖房、送風のうちの何れかの空気調和の運転を行う空気調和機であって、前記エアフィルタ清掃装置を動作させる第１清掃動作制御手段を備え、前記第１清掃動作制御手段は、前記室内ファンの積算運転時間により前記エアフィルタ清掃装置を自動的に動作させる自動清掃モードと、前記リモコンの操作により任意のタイミングで前記エアフィルタ清掃装置を動作させる手動清掃モードとを有し、前記エアフィルタ清掃装置を動作させる前に所定の時間が経過するまで前記室内ファンによる送風運転を行う。
【０００６】
第２の本発明の空気調和機は、室内の空気との熱交換を行う熱交換器、前記熱交換した室内の空気を吹き出す室内ファン、前記室内の空気の塵埃を除去するエアフィルタ、および前記エアフィルタを清掃するエアフィルタ清掃装置を有する室内ユニットと、前記室内ユニットを操作するリモコンとを備え、冷房、除湿、暖房、送風のうちの何れかの空気調和の運転を行う空気調和機であって、前記エアフィルタ清掃装置を動作させる第２清掃動作制御手段を備え、前記第２清掃動作制御手段は、前記室内ファンの積算運転時間により前記エアフィルタ清掃装置を自動的に動作させる自動清掃モードと、前記リモコンの操作により任意のタイミングで前記エアフィルタ清掃装置を動作させる手動清掃モードとを有し、前記空気調和の運転を停止してから所定の時間が経過した後の前記空気調和の運転時に前記自動清掃モードを実行する。
【０００７】
第３の本発明の空気調和機は、室内の空気との熱交換を行う熱交換器、前記熱交換した室内の空気を吹き出す室内ファン、前記室内の空気の塵埃を除去するエアフィルタ、および前記エアフィルタを清掃するエアフィルタ清掃装置を有する室内ユニットと、前記室内ユニットを操作するリモコンとを備え、冷房、除湿、暖房、送風のうちの何れかの空気調和の運転を行う空気調和機であって、前記エアフィルタ清掃装置を動作させる第３清掃動作制御手段を備え、前記第３清掃動作制御手段は、前記室内ファンの積算運転時間により前記エアフィルタ清掃装置を自動的に動作させる自動清掃モードと、前記リモコンの操作により任意のタイミングで前記エアフィルタ清掃装置を動作させる手動清掃モードとを有し、かつ、前記エアフィルタ清掃装置を動作させる前に所定の時間が経過するまで前記室内ファンの送風運転を行う制御と、前記空気調和の運転を停止してから所定の時間が経過した後の前記空気調和の運転時に前記自動清掃モード実行する制御との両制御を有し、当該両制御のうちの何れかの制御がユーザによる前記リモコンの操作により選択される。
【発明の効果】
【０００８】
以上、本発明によれば、フィルタ清掃処理が実行されることによる室内ファンへの塵埃の付着を極力低減し、室内ファンの風量を維持できる。
【図面の簡単な説明】
【０００９】
【図１】実施形態１の空気調和機の一例を示す構成図である。
【図２】実施形態１の空気調和機の室内機の側断面図(図１のＡ−Ａ線断面図)である。
【図３】実施形態１の室内機におけるエアフィルタの清掃機構のエアフィルタ清掃装置を示す斜視図である。
【図４】本発明の実施形態１に関わる空気調和機の制御部を示すブロック図である。
【図５】実施形態１の空気調和機の冷房、除湿運転後にエアフィルタの清掃を行う制御方式の処理手順を示すフローチャートである。
【図６】実施形態２の空気調和機の制御方式の処理手順を示すフローチャートである。
【図７】実施形態３の空気調和機の制御方式の処理手順を示すフローチャートである。
【図８】実施形態４の空気調和機の制御方式の処理手順を示すフローチャートである。
【図９】実施形態５の空気調和機の制御方式の処理手順を示すフローチャートである。
【図１０】実施形態６の空気調和機の制御方式の処理手順を示すフローチャートである。
【図１１】実施形態７の空気調和機の制御方式の処理手順を示すフローチャートである。
【発明を実施するための形態】
【００１０】
以下、本発明の実施形態について添付図面を参照して説明する。
＜＜実施形態１＞＞
まず、実施形態１の空気調和機１の全体構成について説明する。図１は、実施形態１の空気調和機１の一例を示す構成図である。
空気調和機１は、室内の冷房、除湿、暖房、送風のうちの何れかの空気調和の運転を行う機器であるが、ここでの空気調和機１は全ての空気調和の運転を行うことができる。
空気調和機１は、室内の空気と冷凍サイクルの冷媒との熱交換を行う室内機２と、冷媒と外気との熱交換を行う室外機６とを、冷媒が流れる接続配管８で接続している。
室内機２は、ユーザの操作によるリモコン５からの操作信号を受信し、冷房、暖房、除湿、送風等の運転を行う。
【００１１】
図２は、空気調和機１の室内機２の側断面図(図１のＡ−Ａ線断面図)である。
室内機２は、筐体ベース２１の中央部に室内の空気が冷凍サイクルの冷媒と熱交換を行う室内熱交換器３３を設け、室内熱交換器３３の下方に室内熱交換器３３の幅と略等しい長さの横流ファン方式の送風ファン３１１を配置し、室内熱交換器３３への露付き水を受ける露受皿３５等を取り付けている。送風ファン３１１は、水平方向(図２の紙面に垂直方向)に延在する回転軸(図示せず)廻りに回転自在に支持されている。
【００１２】
これら室内熱交換器３３、送風ファン３１１、露受皿３５等の周囲を化粧枠２３で覆い、化粧枠２３の前面に、冷房等の運転時に室内の空気を吸い込むために可動パネル２５１が開放される前面パネル２５を取り付けている。図２では、空気調和機１の運転時の可動パネル２５１が開放された状態を示しており、運転停止時には、図１に示すように、可動パネル２５１は閉塞される。
前面パネル２５を構成する可動パネル２５１は、下部に設けた回動軸を支点として駆動モータにより回動され、空気調和機１の運転時に前面空気吸込み部２３０’(図２参照)を開き、室内の空気を吸い込むように構成されている。
【００１３】
化粧枠２３の上部には、室内の空気を吸い込む空気吸込み口２７が設けられるとともに、化粧枠２３の下部には、室内熱交換器３３で冷媒と熱交換され温湿度の調整された空気を吹出す空気吹出し口２９が設けられている。
化粧枠２３の下面に形成される空気吹出し口２９は、吹出し風路２９０に連通しており、２枚の上下風向板２９１(２９１ａ、２９１ｂ)と、左右風向板２９５とを備える。
【００１４】
詳細には、図２に示す吹出し風路２９０の途中には、左右方向(水平方向)に揺動することで、吹出す空気の気流を左右方向(水平方向)に偏向する左右風向板２９５を備えている。吹出し風路２９０の吹出し口２９には、上下方向(鉛直方向)に揺動することで、吹出す空気の気流を上下方向(鉛直方向)に偏向する上下風向板２９１(２９１ａ、２９１ｂ)を備えている。なお、図２では、空気調和機１が運転中で、上下風向板２９１が開放され、空気調和された空気を吹き出している状態を示している。
【００１５】
筐体ベース２１には、送風ファン３１１、上部のエアフィルタ２３１、前部のエアフィルタ２３１’、前部から上部を介して背部に至る室内熱交換器３３、露受皿３５、上下方向に揺動される上下風向板２９１、左右方向に揺動される左右風向板２９５等の基本的な内部構造体が取り付けられる。
【００１６】
これらの基本的な内部構造体は、背部に配設される筐体ベース２１、図１に示す室内機２の周囲(上面、下面、右側面、左側面)に配設される化粧枠２３、前部に配設される前面パネル２５を有する筐体２０に内包され、室内機２が構成される。
また、図１に示す前面パネル２５の下部には、運転状況を表示する表示部（図示せず）と、リモコン５からの操作信号の赤外線を受光する受光部（図示せず）とが配置されている。
【００１７】
この構成により、送風ファン３１１を運転することで、室内の空気は、図２に示す空気吸込み口２７および前面空気吸込み部２３０’から吸い込まれ、上部のエアフィルタ２３１，下部のエアフィルタ２３１’を通って室内の空気に浮遊する塵埃(ゴミ)が除去され、室内熱交換器３３にて冷凍サイクルの冷媒と熱交換された後、空気吹出し口２９から室内機２とほぼ同じ幅をもって室内に吹出される。
【００１８】
＜エアフィルタ清掃装置１７＞
次に、エアフィルタ２３１，２３１’の清掃を行うエアフィルタ清掃装置１７について説明する。
図３は、室内機２におけるエアフィルタ２３１，２３１’の清掃機構のエアフィルタ清掃装置１７を示す斜視図である。
エアフィルタ清掃装置１７は、上部のエアフィルタ２３１を清掃する掃除用刷毛(図示せず)が取付けられた上部の刷毛支持枠２６２と、前部のエアフィルタ２３１’を清掃する掃除用刷毛(図示せず)が取付けられた前部の刷毛支持枠２６２’と、刷毛支持枠２６２、２６２’のそれぞれの掃除用刷毛に付着した塵埃を掻き取る除塵ブラシ２７０、２７０’と、除塵ブラシ２７０、２７０’で掻き取った塵埃を除去塵埃ホッパ２８１を介して集塵する集塵ボックス２８４とを備える。
【００１９】
エアフィルタ２３１，２３１’の清掃を行う際には、上部の刷毛支持枠２６２に取付けられた掃除用刷毛(図示せず)で上部のフィルタ２３１の全面を掃くとともに、前部の刷毛支持枠２６２’に取付けられた掃除用刷毛で前部のフィルタ２３１’の全面を掃く。上部の刷毛支持枠２６２の掃除用刷毛で掃きとった塵埃は、側終端の上部の除塵ブラシ２７０まで上部の刷毛支持枠２６２の掃除用刷毛で運ばれ、除塵ブラシ２７０で掻き取られ、除去塵埃ホッパ２８１から、集塵ボックス２８４に落下させて集塵される。
【００２０】
同様に、前部の刷毛支持枠２６２’の掃除用刷毛で掃きとった塵埃は、側終端の前部の除塵ブラシ２７０’まで前部の刷毛支持枠２６２’の掃除用刷毛で運ばれ、除塵ブラシ２７０’で掻き取られ、除去塵埃ホッパ２８１から、集塵ボックス２８４に落下させて集塵される。
こうして、エアフィルタ２３１，２３１’から除去された塵埃は集塵ボックス２８４に集められ、集塵ボックス２８４の外部に戻ることはない。ユーザが、集塵ボックス２８４内の塵埃を捨てる場合には、集塵ボックス２８４を手前に引き出して外し、内部の塵埃を掻き出し排出する。
【００２１】
＜空気調和機１の制御部＞
次に、空気調和機１の制御部について、以下詳細に説明する。
図４は実施形態１の空気調和機１の室内機２の制御部を示すブロック図である。
空気調和機１の制御部は、室内機制御装置１１と室外機６の制御部(図示せず)とで構成され、室内機制御装置１１は室内機２の制御と室外機６の制御部への通信を司る。
【００２２】
室内機制御装置１１には、ユーザからの運転指令等がリモコン５を介して入力される運転指令入力手段１２、ユーザからの停止指令等がリモコン５を介して入力される停止指令入力手段１３、ユーザによりリモコン５を介してタイマ運転の切指令が設定される切タイマ設定手段１４、および、ユーザによりリモコン５を介して清掃指令が入力される清掃指令入力手段１５から、制御情報が入力される。また、室内機制御装置１１は不揮発性メモリ１８に制御に係るデータを記録、更新等を行い、該データをリードする。
【００２３】
そして、室内機制御装置１１は、制御情報、不揮発性メモリ１８の制御に係るデータに基づき、室内ファン３１１、エアフィルタ清掃装置１７にそれぞれ駆動電流を送る。
なお、上述の説明は、本実施形態に係る制御を中心に説明を行ったものであり、他は公知であるのでその他の説明は省略する。
室内機制御装置１１は、マイコン(Microcomputer)、インターフェース回路、センサ回路、室内ファン３１１の駆動回路、エアフィルタ清掃装置１７の駆動回路等の周辺回路で構成されている。
【００２４】
＜冷房、除湿運転後のエアフィルタ２３１，２３１’の清掃＞
次に、室内機２で冷房、除湿運転後に、エアフィルタ２３１，２３１’の清掃を行う制御について説明する。なお、本制御は室内機制御装置１１により行われる。
図５は、空気調和機１の冷房、除湿運転後にエアフィルタ２３１、２３１’の清掃を行う制御方式の処理手順を示すフローチャートである。
【００２５】
まず、図５のＳ(ステップ)０において、冷房、除湿、暖房、送風等で運転中か否か運転状態の判定を行う。
停止中であった場合は(Ｓ０でＮｏ)、Ｓ(ステップ)８に進み、リモコン５からの操作信号で清掃指令が有るか否か、清掃指令入力手段１５(図４参照)の監視を行う。
清掃指令の入力があった場合には(Ｓ８でＹｅｓ)、手動清掃モードによるエアフィルタ２３１，２３１’の清掃を行うため、Ｓ(ステップ)５に進む。
【００２６】
一方、清掃指令入力が無い場合(Ｓ８でＮｏ)、Ｓ(ステップ)９にて、ユーザの運転操作によるリモコン５からの操作信号の運転指令があるか、運転指令入力手段１２(図４参照)の監視を行う。
ユーザの運転操作によるリモコン５からの運転指令入力手段１２(図４参照)への運転指令の入力があった場合(図５のＳ９でＹｅｓ)には、Ｓ(ステップ)０に戻る一方、運転指令入力が無い場合(図５のＳ９でＮｏ)は、Ｓ８(ステップ)に移行し、停止状態を継続する。
【００２７】
Ｓ(ステップ)０において、冷房等で運転中であれば(Ｓ０でＹｅｓ)、ユーザの運転停止操作によるリモコン５からの操作信号が有るか否か、停止指令入力手段１３の監視を行い(Ｓ１)、ユーザの運転停止操作がない場合(Ｓ１でＮｏ)には、切タイマによる自動停止が有るか否か、切タイマ設定手段１４の監視を行う(Ｓ２)。
【００２８】
Ｓ(ステップ)１でリモコン５の停止操作を検出する(Ｓ１でＹｅｓ)か、または、Ｓ(ステップ)２でユーザ(使用者)が設定した切タイマによる自動停止を検出した(Ｓ２でＹｅｓ)場合、Ｓ(ステップ)３で冷房等の運転を停止し、Ｓ(ステップ)４に進む。
何れの停止条件も発生しなければ(Ｓ１でＮｏかつＳ２でＮｏ)、Ｓ(ステップ)１に移行して冷房等の運転を継続する。
【００２９】
Ｓ(ステップ)４においては、自動清掃モードによるエアフィルタ２３１，２３１’の清掃の実行判定を行う。すなわち、室内機制御装置１１がカウントした送風ファン３１１の積算運転時間が所定の動作(運転)時間に達しているか否かを判定し、経過していれば(Ｓ４でＹｅｓ)、Ｓ(ステップ)５に進む。
【００３０】
Ｓ５(ステップ)以降は、手動清掃モード、自動清掃モード共通の処理である。
Ｓ５(ステップ)においては、運転モードが冷房または除湿か、或いは、冷房・除湿以外の運転モードかの判定を行う。なお、Ｓ(ステップ)５で、冷房または除湿か、または、冷房・除湿以外かで判定を行うのは、冷房、除湿運転の場合、送風ファン３１１に露付きが起こり易く、冷房、除湿運転以外の暖房、送風運転では、送風ファン３１１に露付きが起こり難いためである。
【００３１】
運転停止前の運転モードが冷房、除湿以外の場合(Ｓ５でＮｏ)は、Ｓ(ステップ)１０に進み、エアフィルタ２３１，２３１’の清掃を実行する。
一方、運転モードが冷房、除湿の場合(Ｓ５でＹｅｓ)は、Ｓ(ステップ)６において、送風ファン３１１(図２参照)を所定の回転数(回転速度)で回転させ、所定の時間送風運転を行う。
【００３２】
Ｓ６での送風運転開始後、Ｓ(ステップ)７において、室内機制御装置１１で送風ファン３１１による送風運転時間を監視し、時間が未経過の場合(Ｓ７でＮｏ)はＳ(ステップ)６に移行し、送風運転を継続して行う。一方、時間が経過すれば(Ｓ７でＹｅｓ)送風運転を終了し、Ｓ(ステップ)１０でエアフィルタ清掃装置１７を動作させ、エアフィルタ２３１，２３１’の清掃を実行する。
【００３３】
このように、エアフィルタ清掃装置１７によるエアフィルタ２３１，２３１’の清掃を実行する前に、室内ファンである送風ファン３１１(図２参照)で送風運転を行い、送風ファン３１１を乾かすことで、室内ファンの送風ファン３１１への塵埃の付着を低減することができる。
【００３４】
＜＜実施形態２＞＞
次に、実施形態２の空気調和機１の制御方式について、図６に従って説明する。
図６は、実施形態２の空気調和機１の制御方式の処理手順を示すフローチャートであり、実施形態１との相違部分を抜き出して示している。
実施形態２の空気調和機１の制御方式は、実施形態１の図５の制御(処理)において、Ｓ(ステップ)５とＳ(ステップ)６との間にＳ(ステップ)１１を追加したものである。その他の構成は、既に説明した図５に示された同一の符号を付された構成と同一の処理を有するので、それらの説明は省略する。なお、本制御は前記した室内機制御装置１１(図４参照)により行われる。
【００３５】
図６のＳ(ステップ)１１は、室内機制御装置１１により、前回の冷房または除湿の運転時間を取得し、前回の冷房または除湿の運転時間から送風運転を実行する時間を、不揮発性メモリ１８のデータを参照して決定する。ここで、前回の冷房または除湿の運転時間と送風運転を実行する時間との対応は、不揮発性メモリ１８にテーブル等で予め記憶されている。
【００３６】
実施形態２によれば、前回の冷房または除湿の運転時間の長短により、室内ファンである送風ファン３１１の露付き(湿り)状態は異なるため、前回の冷房または除湿の運転時間を基に、エアフィルタ２３１，２３１’の清掃前の送風ファン３１１の送風運転時間を決定することで、無駄な送風運転状態が発生しない。そのため、省電力化が可能である。
【００３７】
＜＜実施形態３＞＞
次に、実施形態３の空気調和機１の制御方式について、図７に従って説明する。
図７は、実施形態３の空気調和機１の制御方式の処理手順を示すフローチャートであり、実施形態１との相違部分を抜き出して示している。
実施形態３の空気調和機１の制御方式は、実施形態１の図５の制御(処理)において、Ｓ(ステップ)５とＳ(ステップ)６の間にＳ(ステップ)１２を追加したものである。その他の構成は、既に説明した図５に示された同一の符号を付された構成と同一の処理を有するのでそれらの説明は省略する。なお、本制御は前記した室内機制御装置１１(図４参照)により行われる。
【００３８】
図７のＳ(ステップ)１２は、室内機制御装置１１により、前回の冷房または除湿の運転時間から送風運転時の送風ファン３１１の回転数(回転速度)を、不揮発性メモリ１８のデータを参照して決定する。ここで、不揮発性メモリ１８には、前回の冷房または除湿の運転時間と送風ファン３１１の回転数(回転速度)との対応がテーブル等で予め記憶されている。
【００３９】
実施形態３によれば、前回の冷房または除湿の運転時間の長短によって室内ファンである送風ファン３１１の露付き(湿り)状態が違う。そのため、前回の冷房または除湿の運転時間を基に送風ファン３１１の回転数(回転速度)を決定することで、前回の冷房または除湿の運転時間の違いによる送風運転実行前の送風ファン３１１の露付き(湿り)状態の差に応じた送風運転を行うことができる。これにより、適切な送風ファン３１１の回転数(回転速度)で送風運転を行うことができる。
【００４０】
＜＜実施形態４＞＞
次に、実施形態４の空気調和機１の制御方式について、図８に従って説明する。
図８は、実施形態４の空気調和機１の制御方式の処理手順を示すフローチャートであり、実施形態１との相違部分を抜き出して示している。
実施形態４の空気調和機１の制御方式は、実施形態１の図５の制御(処理)において、Ｓ(ステップ)５とＳ(ステップ)６の間にＳ(ステップ)１１とＳ(ステップ)１２とを追加したものである。その他の構成は、既に説明した図５に示された同一の符号を付された構成と同一の処理を有するのでそれらの説明は省略する。なお、本制御は前記した室内機制御装置１１(図４参照)により行われる。
【００４１】
図８のＳ(ステップ)１１は、室内機制御装置１１により、前回の冷房または除湿の運転時間から送風運転を実行する時間を、不揮発性メモリ１８のデータを参照して決定する。
そして、Ｓ(ステップ)１２は、室内機制御装置１１により、前回の冷房または除湿の運転時間から送風運転時の室内ファンである送風ファン３１１の回転数(回転速度)を、不揮発性メモリ１８のデータを参照して決定する。
ここで、不揮発性メモリ１８には、前回の冷房または除湿の運転時間と、送風ファン３１１の送風運転を実行する時間および回転数(回転速度)との対応がテーブル等で予め記憶されている。
【００４２】
Ｓ(ステップ)１１とＳ(ステップ)１２とを組み合わせることで、室内ファンである送風ファン３１１の現在の露付き(湿り)状態に応じた最適な送風運転時間と回転数(回転速度)とを組み合わせた最適な送風運転を行うことができる。そのため、効率よくエアフィルタ清掃装置１７によるエアフィルタ２３１，２３１’の清掃動作に移行することができる。
【００４３】
＜＜実施形態５＞＞
次に、実施形態５の空気調和機１の制御方式について、図９に従って説明する。図９は、実施形態５の空気調和機１の制御方式の処理手順を示すフローチャートである。
実施形態５の空気調和機１の制御方式は、冷房運転、除湿運転、暖房運転、送風運転等の際中に同時にエアフィルタ清掃装置１７によるエアフィルタ２３１，２３１’の清掃動作を行うものである。なお、本制御は前記した室内機制御装置１１により行われる。
【００４４】
まず、図９のＳ(ステップ)５００において冷房運転、除湿運転、暖房運転、送風運転等で運転中か運転状態の判定を行う。停止中であった場合(Ｓ５００でＮｏ)、Ｓ５００に進み、停止状態を継続する。
一方、冷房等で運転中であれば(Ｓ５００でＹｅｓ)、Ｓ(ステップ)５０１に進み、停止指令入力手段１３(図４参照)の監視(Ｓ５０１)と切タイマ設定手段１４の監視(Ｓ(ステップ)５０２)とを行う。
【００４５】
Ｓ(ステップ)５０１でリモコン５の停止操作を検出する(Ｓ５０１でＹｅｓ)か、または、Ｓ(ステップ)５０２で使用者(ユーザ)が設定した切タイマによる自動停止を検出した場合(Ｓ５０２でＹｅｓ)、Ｓ(ステップ)５０３に進み、冷房等の運転を停止する。
一方、何れの停止条件も発生しなければ(Ｓ５０１でＮｏかつＳ５０２でＮｏ)、Ｓ(ステップ)５０１に進み、冷房等の運転を継続する。
【００４６】
続いて、Ｓ(ステップ)５０９において、リモコン５での運転操作が有るか否か、運転指令入力手段１２(図４参照)の監視を行い、運転指令入力手段１２に運転指令の入力があった場合(Ｓ５０９でＹｅｓ)、Ｓ(ステップ)５１３に進み、冷房等の運転を開始する。そして、Ｓ(ステップ)５０４に進む。
続いて、Ｓ(ステップ)５０４とＳ(ステップ)５１４において、自動清掃モードによるエアフィルタ２３１，２３１’の清掃の実行判定が行われる。
【００４７】
まず、Ｓ(ステップ)５０４では、室内機制御装置１１がカウントした送風ファン３１１の積算運転時間が所定の動作時間を経過しているかを判定し、経過していなければ(Ｓ５０４でＮｏ)終了する一方、経過していれば(Ｓ５０４でＹｅｓ)、Ｓ(ステップ)５１４に進む。
Ｓ(ステップ)５１４において、所定の停止時間が経過した後の運転開始かどうかを判定する。所定の停止時間が経過していなければ(Ｓ５１４でＮｏ)、終了する。
一方、所定の停止時間が経過していれば(Ｓ５１４でＹｅｓ)、Ｓ(ステップ)５１０に進み、空気調和機１の通常の運転を行いながらエアフィルタ清掃装置１７を動作させ、エアフィルタ２３１，２３１’の清掃を実行する。
【００４８】
実施形態５によれば、停止時間中に室内ファンである送風ファン３１１を乾かし、停止時間が経過した後の運転開始時にエアフィルタ２３１，２３１’の清掃を実行するため、室内ファンの送風ファン３１１への塵埃の付着を低減することができる。
また、エアフィルタ２３１，２３１’の清掃が、冷房運転、除湿運転、暖房運転、送風運転等の際中に同時に行われるので、清掃が行われていることが目立たず、ユーザに違和感を付与することが少なくなる。
なお、実施形態５では、後の運転開始時にエアフィルタ２３１，２３１’の清掃を実行する場合を例示したが、後の運転時であれば、後の運転開始時でなくともよい。しかし、後の運転開始時にエアフィルタ２３１，２３１’の清掃を実行すれば、清掃のタイミングが取り易いので、制御的には望ましい。
【００４９】
＜＜実施形態６＞＞
次に、実施形態６の空気調和機１の制御方式について、図１０に従って説明する。
図１０は、実施形態６の空気調和機１の制御方式の処理手順を示すフローチャートであり、実施形態１〜５で説明した制御方式の選択処理手順を示している。
【００５０】
実施形態６の空気調和機１の制御方式は、実施形態１〜５で説明した冷房または除湿運転後に送風ファン３１１による送風運転後にエアフィルタ清掃装置１７によるエアフィルタ２３１，２３１’の清掃を実行する第１の清掃モードか、または、所定の停止時間が経過し送風ファン３１１が乾いた後の運転開始時にエアフィルタ２３１，２３１’の清掃を実行する第２の清掃モードかの選択処理を行うものである。なお、本制御は前記した室内機制御装置１１により行われる。
【００５１】
まず、図１０のＳ(ステップ)６１５で、リモコン５からの操作信号の検出を行う。リモコン５からの操作信号を受信しない場合(Ｓ６１５でＮｏ)、Ｓ(ステップ)６１５でリモコン５からの操作信号の検出を行う。
リモコン５からの操作信号を受信した場合(Ｓ６１５でＹｅｓ)、Ｓ(ステップ)６１６に進む。Ｓ(ステップ)６１６では、リモコン５からの操作信号が、エアフィルタ２３１、２３１’の第１または第２の清掃モードを選択するエアフィルタ清掃制御選択信号であるか否かの判定を行う。
【００５２】
リモコン５からの操作信号がエアフィルタ清掃制御選択信号であった場合(Ｓ６１６でＹｅｓ)、Ｓ(ステップ)６１７に進む。
一方、エアフィルタ清掃制御選択信号でなかった場合(Ｓ６１６でＮｏ)は、Ｓ(ステップ)６２０に進み、受信した操作信号に応じた制御を実行して、Ｓ(ステップ)６２１でエアフィルタ清掃制御には現在設定されている第１または第２の清掃モードの制御仕様を適用し終了する。
【００５３】
Ｓ(ステップ)６１７では、リモコン５からの操作信号のエアフィルタ清掃制御選択信号が現在、設定されている清掃モードの制御仕様以外を選択しているかどうかを判定し、現在設定されている制御仕様と同じ仕様を選択している場合(Ｓ６１７でＮｏ)は、Ｓ(ステップ)６２１で、エアフィルタ２３１，２３１’の清掃制御には現在設定されている清掃モードの制御仕様を適用し終了する。
【００５４】
一方、現在設定されている清掃モードの制御仕様と異なった清掃モードの仕様を選択している場合(Ｓ６１７でＹｅｓ)は、Ｓ(ステップ)６１８でエアフィルタ２３１，２３１’の清掃制御の現在設定されている制御仕様を変更し、Ｓ(ステップ)６１９でエアフィルタ２３１，２３１’の清掃制御には、Ｓ(ステップ)６１７で取得した変更後の清掃モードの制御仕様を適用(設定)し、終了する。
実施形態６によれば、リモコン５により清掃モードの制御仕様を変更可能とすることで、空気調和機の使用環境に最適な第１または第２の清掃モードの制御仕様を適用することができる。
なお、実施形態６では、後の運転開始時にエアフィルタ２３１，２３１’の清掃を実行する場合を例示したが、後の運転時であれば、後の運転開始時でなくともよい。
【００５５】
＜＜実施形態７＞＞
次に、実施形態７の空気調和機１の制御方式について、図１１に従って説明する。図１１は、実施形態７の空気調和機１の制御方式の処理手順を示すフローチャートであり、実施例１〜５で説明した制御方式の選択処理手順を示している。
【００５６】
実施形態７の空気調和機１の制御方式は、現在、ユーザが設定したエアフィルタ２３１，２３１’の清掃制御の清掃モードの制御仕様を不揮発性メモリ１８に記憶し、電源が切断した後の運転再開時に、ユーザによる再度の清掃制御の清掃モードの制御仕様の設定を不要としたものである。なお、本制御は前記した室内機制御装置１１により行われる。
【００５７】
実施形態７の空気調和機１の制御方式は、実施形態６の図１０の制御(処理)うち、Ｓ(ステップ)６１８とＳ(ステップ)６１９の間にＳ(ステップ)６２２を追加したものである。その他の構成は、既に説明した図１０に示された同一の符号を付された構成と同一の処理を有するのでそれらの説明は省略する。
【００５８】
図１１のＳ(ステップ)６２２では、Ｓ(ステップ)６１８のエアフィルタ清掃制御変更後のＳ(ステップ)６１７で取得した清掃モードの制御仕様の制御設定を不揮発性メモリ１８(図４参照)に記憶させる。
不揮発性メモリ１８に記憶させることで、空気調和機１の電源が遮断されても、次回の電源投入時にも、図１１のＳ(ステップ)６１８の変更後の清掃モードの制御仕様の設定を保持することができる。
【００５９】
なお、本発明は前記した実施形態に限定されるものではなく、様々な変形例が含まれる。例えば、前記した実施形態は本発明を分かり易く説明するために詳細に説明したものであり、必ずしも説明した全ての構成を備えるものに限定されるものではない。
また、ある実施形態の構成の一部を他の実施形態の構成に置き換えることが可能であり、また、ある実施形態の構成に他の実施形態の構成を加えることも可能である。また各実施形態の構成も一部について、他の構成の追加・削除・置換をすることが可能である。
【００６０】
なお、前記実施形態では、制御設定を不揮発性メモリ１８に記憶する場合を例示したが、電源が切断されても記憶を保持する不揮発性記憶部であれば、如何なる記憶部でもよく限定されない。
【符号の説明】
【００６１】
１      空気調和機
２      室内機(室内ユニット)
５      リモコン
１１    室内機制御装置(第１・第２・第３清掃動作制御手段)
１２    運転指令入力手段(第１・第２・第３清掃動作制御手段)
１３    停止指令入力手段(第１・第２清掃動作制御手段)
１４    切タイマ設定手段(第１・第２清掃動作制御手段)
１５    清掃指令入力手段(第１・第２・第３清掃動作制御手段)
１７    エアフィルタ清掃装置
１８    不揮発性メモリ(不揮発性記憶部)
３３    室内熱交換器(熱交換器)
２３１，２３１’  エアフィルタ
２６２，２６２’  刷毛支持枠(エアフィルタ清掃装置)
２７０，２７０’’  除塵ブラシ(エアフィルタ清掃装置)
２８１  除去塵埃ホッパ(エアフィルタ清掃装置)
２８４  集塵ボックス(エアフィルタ清掃装置)
３１１  送風ファン
【図１】
2012112545.tif 000003
【図２】
2012112545.tif 000004
【図３】
2012112545.tif 000005
【図４】
2012112545.tif 000006
【図５】
2012112545.tif 000007
【図６】
2012112545.tif 000008
【図７】
2012112545.tif 000009
【図８】
2012112545.tif 000010
【図９】
2012112545.tif 000011
【図１０】
2012112545.tif 000012
【図１１】
2012112545.tif 000013